(57)【要約】      （修正有）【課題】外形の美観を損なわず、端末機のケースに取り付け可能な、無線充電用の受信装置を提供する。【解決手段】無線充電用の受信装置１００は、磁気の変化から電流を発生させるための受信アンテナ１０と、受信アンテナ１０から発生する電流を直流電流に変換するための充電回路部２０とを含む。受信アンテナ１０及び充電回路部２０は、フレキシブル基板に接続する。受信アンテナ１０は、受信アンテナ１０と充電回路部２０とを接続するフレキシブル基板に形成する。フレキシブル基板は、充電回路部２０から延長されて本体に接続するための露出された端子４０を含む。【選択図】図１
2016134598.tif 000002
【特許請求の範囲】
【請求項１】
磁気の変化から電流を発生させるための受信アンテナと、
前記受信アンテナから発生する電流を直流電流に変換するための充電回路部とを含み、
前記受信アンテナ及び充電回路部は、フレキシブル基板に接続される、無線充電用の受信装置。
【請求項２】
前記受信アンテナは、前記受信アンテナと充電回路部とを接続するフレキシブル基板にパターン状に形成される、請求項１に記載の無線充電用の受信装置。
【請求項３】
前記フレキシブル基板は、前記充電回路部から延長されて本体に接続するための露出された端子を含む、請求項１に記載の無線充電用の受信装置。
【請求項４】
電磁波吸収シートをさらに含む、請求項１に記載の無線充電用の受信装置。
【請求項５】
前記電磁波吸収シートは、前記受信アンテナ及び充電回路部の少なくとも一部を覆う形である、請求項４に記載の無線充電用の受信装置。
【請求項６】
前記充電回路部は、電力変換部を含む、請求項１に記載の無線充電用の受信装置。
【請求項７】
前記充電回路部は、電池の保護部及び制御部のいずれか一つ以上をさらに含む、請求項６に記載の無線充電用の受信装置。
【発明の詳細な説明】
【技術分野】
【０００１】
本発明は、無線充電用の受信装置に関し、さらに具体的には、スマートホンのような端末機の背面ケースに装着され端末機の無線充電を可能にする装置に関する。
【背景技術】
【０００２】
近来通信及び情報処理技術が発達するにつれて、スマートホンなどのように携帯に便利な携帯用スマート端末機の使用が次第に増加しており、技術の発達により、性能が向上した新しいモデルの端末機が継続的に発売されている傾向にある。
【０００３】
そして、現在最も多く使われている充電方式は、電源に接続されたアダプタをスマート端末機に直接接続して、外部電源の供給を受け充電するか、又はホストのＵＳＢ端子を介してスマート端末機に接続して、ホストのＵＳＢ電源の供給を受け充電する方式である。
【０００４】
しかし、接続線を介してアダプタ又はホストにスマート端末機を直接接続しなければならない不便さや、スマート端末機の接触端子が外部に露出されて発生する接触充電方式の問題点を解決するために、電気的接触なしで磁気結合を用いてバッテリを充電する無接点又は無線充電方式が次第にスマート端末機に適用されている。
【０００５】
最新の製品は、無線充電のための受信装置が端末機の内部、端末機のケース又は交替可能なバッテリに基本装着されており、無線充電が可能であるが、無線充電の受信機能が実装されていない製品の中でバッテリを交換することができるようにケースが分離される製品の場合には、無線充電のための受信装置を装着したケースが開発されて個別に販売されることもある。
【０００６】
しかし、端末機に無線充電機能を製品発売後に実装するためには、ケースに無線充電受信装置を別途取り付ける必要があるため、その厚さが、元のケースより厚くなって携帯電話の使用が不便になるか外形の美観が損なわれる問題がある。
【発明の概要】
【発明が解決しようとする課題】
【０００７】
本発明は、このような状況を勘案して明らかになった問題を解決するためのものであり、本発明の目的は、端末機に無線充電機能を実装するようにする無線充電用の受信装置
を提供することにある。
【０００８】
本発明の他の目的は、端末機のケースに取り付け可能な無線充電用の受信装置を提供することにある。
【０００９】
本発明のまた他の目的は、無線充電用受信装置を構成するアンテナと回路を接続する接続部の厚さを低減することにある。
【課題を解決するための手段】
【００１０】
上記の目的を達成するために、本発明に係る無線充電用の受信装置は、磁気の変化から電流を発生させるための受信アンテナと、受信アンテナから発生する電流を直流電流に変換するための充電回路部を含み、受信アンテナ及び充電回路部は、フレキシブル基板に接続されることを特徴とする。
【００１１】
一実施の形態において、受信アンテナは、受信アンテナと充電回路部とを接続するフレキシブル基板にパターン状に形成することができる。
【００１２】
一実施の形態において、フレキシブル基板は、充電回路部から延長され、本体に接続するための露出された端子を含むことができる。
【００１３】
一実施の形態において、無線充電用の受信装置は、電磁波吸収シートをさらに含むことができる。
【００１４】
一実施の形態において、電磁波吸収シートは、受信アンテナ及び充電回路部の少なくとも一部を覆う形で有り得る。
【００１５】
一実施の形態において、充電回路部は、電力変換部を含むことができ、バッテリ保護部及び制御部のいずれか一つ以上をさらに含むことができる。
【発明の効果】
【００１６】
したがって、スマート端末機の厚さの変化を最小化し、かつケースに無線充電用受信装置を取り付けることができるようになる。
【００１７】
また、無線充電用受信装置を構成するアンテナと充電回路部とを接続するための作業を軽減できるようになる。
【００１８】
また、無線充電機能無しに発売されたスマート端末機のケースを取り換える簡単な方法で、スマート端末機に無線充電機能を付与することができるようになる。
【００１９】
また、ＦＰＣＢの形で受信アンテナと充電回路部とを一体化するため、多様な形態の端末機や端末機のケースに合うように無線充電装置を容易に変形することができるようになる。
【図面の簡単な説明】
【００２０】
【図１】本発明の一実施の形態に係る無線充電用の受信装置の平面図を示す図である。
【図２】本発明の一実施の形態に係る無線充電用の受信装置の一部が電磁波吸収シートに覆われたことを示す図である。
【図３】本発明の一実施の形態に係る無線充電用の受信装置がスマート端末機のケースに付加された断面を示す図である。
【図４】本発明の一実施の形態に係る無線充電用の受信装置に含まれる回路部の構成を示す図である。
【発明を実施するための形態】
【００２１】
本発明の上述した目的、特徴、及び利点は、添付された図面に関連する次の詳細な説明を介してさらに明確になる。ただし、本発明は、様々な変更を加えることができ、さまざまな実施の形態を有することができるところ、以下では、特定の実施の形態を図面に例示し、これを詳細に説明する。明細書全体にわたって同じ参照番号は、原則的に同一の構成要素を示す。また、本発明に係る公知の機能あるいは構成についての具体的な説明が本発明の要旨を不必要に曖昧にすると判断された場合、その詳細な説明を省略する。また、本明細書の説明過程において用いられる数字（例えば、第１、第２など）は、１つの構成要素を他の構成要素と区別するための識別記号に過ぎない。
【００２２】
以下、本発明に係る無線充電用の受信装置について、図面を参照して、さらに詳細に説明する。以下の説明で用いられるコンポーネントの接尾辞「モジュール」と「部」は、明細書作成の容易さだけが考慮されて付与されるか、又は混合されるものであって、それ自体で互いに区別される意味又は役割を有するものではない。
【００２３】
無線充電用の受信装置は、無線電力の送受信方法に応じて、アンテナを介して外部から電力を受け取り、バッテリを充電する装置であり、外部電力を受けるための受信アンテナコイルと、電力受信を制御し、受信された電力でバッテリを充電させるための電流に変換するための回路部とを含むことができる。
【００２４】
無線充電用の受信装置がバッテリを交替することができるようケースが分離されるスマート機器の背面ケース内部に装着されるためには、薄型に製作しなければならないため、従来は、コイルで構成される受信アンテナと、受信コイルで伝達される電流を用いてバッテリを充電するための回路部とを別々に設計し、この部分を接続したため、薄型を実現することが困難であった。
【００２５】
従来の無線充電用の受信装置は、受信無線コイルだけを提供したり、（回路部は、端末機や電池に個別に存在することを前提として）充電回路部にコイルを接合したりする形で実装され、はんだ付けを用いて充電回路部と受信コイルとを接続していたため、接続部の厚さが必然的に増加した。
【００２６】
接続部の厚さを減らすことは困難であるため、無線充電用の受信装置は、端末機の背面ケースと一緒に製品として提供されるが、端末機の元の背面ケースより必然的に厚さが厚くなる。
【００２７】
図１は、本発明の一実施の形態に係る無線充電用受信装置の平面図を示したものである。
【００２８】
本発明の一実施の形態に係る無線充電用の受信装置１００は、誘導コイルの役割をして、外部から入ってくる磁場を用いて誘導電流を発生させる受信アンテナ１０と、受信アンテナ１０から発生する誘導電流を整流する充電回路部２０と、連結部３０と、露出端子４０とを含むことがあるが、超薄型のコイルの受信アンテナ１０と、充電回路部２０とをフレキシブル回路基板（ＦＰＣＢ：Flexible Printed Circuit Board）の形で一体化して実装して接続部３０の作業をなくし、厚さを低減することができる。
【００２９】
受信アンテナ１０は、厚さが０．４ｍｍ前後のワイヤコイル状ではなく、０．２ｍｍ前後の超薄型ＦＰＣＢ内のパターンの形で実装し、ＦＰＣＢ形態の受信アンテナと、電磁波遮断又は吸収のための厚さ０．２ｍｍ前後のシートとを結合してモジュールを形成するときに、モジュール全体の厚さを十分に減らすことができ、端末機の背面ケースを変更しないでも、背面ケース内部に装着することができるようになる。
【００３０】
また、ＦＰＣＢ形態で受信アンテナと充電回路部とを一体化するため、多様な形態の端末機や端末機ケースに合うように変形が可能である。
【００３１】
図２は、本発明の一実施の形態に係る無線充電用受信装置の一部が電磁波吸収シートに覆われたことを示したものであり、シート５０は、受信アンテナ１０と、充電回路部２０に対応する領域とに付着させるか、又は露出端子４０を除く、無線充電用受信装置の全体領域若しくは一部の領域を覆うこともできる。
【００３２】
シート５０は、電磁波及びノイズを除去して充電回路部２０を介してバッテリに流れる誘導電流の効率が高くなるように、フェライトシートで形成してもよい。
【００３３】
図３は、本発明の一実施の形態に係る無線充電用の受信装置が、スマート端末機のケースに付加された断面を示したものである。
【００３４】
本発明の一実施の形態に係る無線充電用の受信装置１００は、端末機２００の本体２１０の背面を覆う背面ケース２２０の内部に付加することができるが、背面ケース２２０は、端末機本体２１０に挿入されるバッテリ２３０を交換することができるように本体２１０に着脱することができ、背面ケース２２０には、無線充電用の受信装置１１０を装着することができる空間（図３においてケースに点線で表現された空間）を用意してもよい。
【００３５】
発明の一実施の形態に係る無線充電用の受信装置１００は、シート５０が端末機本体２１０に向けた方向に付着された状態で端末機の背面ケース２２０に安着され、露出端子４０は端末機本体２１０に向けた方向に露出され、端末機本体２１０の背面に設けられた端子２４０に対応する位置に配置され、端末機本体２１０と背面ケース２２０とが締結されたとき、端末機本体の端子２４０によって電気的に接続され、端末機本体２１０と背面ケース２２０とが締結されるときに発生する押え圧によって物理的に接続することができる。
【００３６】
端末機本体の端子２４０は、端末機本体２１０の内部に設けられた接続線を介して端末機本体２１０に設けられた空間（端末機本体に点線で表現された空間）に挿入されたバッテリ２３０と電気的に接続することができる。
【００３７】
図４は、本発明の一実施の形態に係る無線充電用の受信装置に含まれる回路部の構成を示したものである。
【００３８】
無線充電用の受信装置１００と端末機２００とは、互いに対応する位置に配置される露出端子４０と端子２４０との物理的な接触によって接続され、無線充電用の受信装置１００の回路部２０が生成する充電電流を端末機１００に挿入されたバッテリ２３０に伝達することができる。
【００３９】
充電回路部２０は、電力変換部２１と、バッテリ保護部２２と、制御部２３とを含み、電力変換部２１は、受信アンテナ１０が発生させる誘導電流を直流電流に変換させる役割をし、バッテリ保護部２２は、露出端子４０と接続され、電力変換部２１から出力される電圧の過度の上昇を防止する役割をし、制御部２３は、電力変換部２１を制御して、電力送信部との通信を行うことができる。
【００４０】
充電回路部２０は、電力変換部２１と、バッテリ保護部２２と、制御部２３との全てを含むか、電力変換部２１だけを含むか、又は電力変換部２１及びバッテリ保護部２２だけを含むか、又は電力変換部２１及び制御部２３だけを含み、充電回路部に含まれない残りの構成要素は、端末機内に構成することもできる。
【００４１】
電力送信部と、電力受信部との無線電力送受信方法の例としては、電磁気誘導方式又は共振磁気誘導方式があるが、これに限定されるものではない。
【００４２】
したがって、スマート端末機の厚さの変化を最小化し、かつケースに無線充電用受信装置を取り付けることができるようになり、無線充電用受信装置を構成するアンテナと充電回路部とを接続するための作業を減らすことができようになり、無線充電機能無しで発売されたスマート端末機のケースを交換する簡単な方法で、スマート端末機に無線充電機能を付与することができるようになり、ＦＰＣＢ形態で受信アンテナと充電回路部とを一体化するため、多様な形態の端末機や端末機ケースに合わせて無線充電装置を容易に変形することができるようになる。
【００４３】
本発明は、記載された実施の形態に限定されるものではなく、本発明の思想及び範囲を逸脱することなく様々な修正及び変形できることは、この技術の分野における通常の知識を有する者にとって自明である。したがって、そのような修正例又は変形例は、本発明の特許請求の範囲に属するべきである。
【図１】
2016134598.tif 000003
【図２】
2016134598.tif 000004
【図３】
2016134598.tif 000005
【図４】
2016134598.tif 000006